(57)【要約】【課題】デッドボルトに対する扉や扉枠の側圧を軽減化すること。【解決手段】錠箱に、少なくとも駆動源、動力伝達手段、ダルマ、デッドボルトを備えた電気錠に於いて、前記デッドボルトの内端部に突出入力片を固定的に設け、一方、錠箱には側圧受け片を設け、該側圧受け片は、施錠時には前記デッドボルトがフロントから突出する際に前記突出入力片に押し出されて前進する可動箱を介して受け金具に係合する反面、解錠時にはデッドボルトが錠箱内に後退すると、付勢手段のバネ力により該可動箱が所定の位置まで後退して錠箱内に引っ込むことを特徴とする電気錠。【選択図】図５
2008075364.tif 000002
【特許請求の範囲】
【請求項１】
錠箱に、少なくとも駆動源、動力伝達手段、ダルマ、デッドボルトを備えた電気錠に於いて、前記デッドボルトの内端部に突出入力片を固定的に設け、一方、錠箱には側圧受け片を設け、該側圧受け片は、施錠時には前記デッドボルトがフロントから突出する際に前記突出入力片に押し出されて前進する可動箱を介して受け金具に係合する反面、解錠時にはデッドボルトが錠箱内に後退すると、付勢手段のバネ力により該可動箱が所定の位置まで後退して錠箱内に引っ込むことを特徴とする電気錠。
【請求項２】
請求項１に於いて、デッドボルトの突出入力片は、突出端部の後端部に押し出し用の第１係合部を有し、一方、突出端部の先端部に可動箱に内装されかつ側圧受け片に設けた解除片に係合する第２係合片を備えていることを特徴とする電気錠。
【請求項３】
請求項２に於いて、解除片は、デッドボルトが所定の位置まで後退すると、錠箱内に配設され、かつ、可動箱の係止突起と係合する係止片の係止を解くことを特徴とする電気錠。
【請求項４】
請求項１に於いて、側圧受け片は、その先端部に側圧受けローラを有し、一方、後端部に解除片を案内する案内片を備えていることを特徴とする電気錠。
【請求項５】
請求項１に於いて、可動箱内には、可動箱用付勢手段と側圧受け片用のバネ部材がそれぞれ設けられていることを特徴とする電気錠。
【発明の詳細な説明】
【技術分野】
【０００１】
本発明は、デッドボルトに対する側圧対策用の電気錠に関する。
【背景技術】
【０００２】
特許文献１〜特許文献４は、錠箱から突出するデッドボルトの側圧対策に関するものである。特許文献１の請求項４には、扉や扉枠の側圧がラッチ本体の背面にかかった時に、デッドボルトに側圧がかからないようにラッチ本体の厚みをデッドボルトの厚みよりも大きく設定する事項が記載されている。
【０００３】
また、特許文献２には、デッドボルトを兼ねるラッチアセンブリーを有する錠箱において、閉扉時、ラッチアセンブリーにかかる側圧に対する強度を向上させる事項が記載されている。
【０００４】
また、特許文献３には、デッドボルトに交差した側圧力が錠箱のデッド窓の縁辺に集中的にかかるのを防止することができる錠前用デッドボルトの構造が記載されている。
【０００５】
さらに、特許文献４には、室外側からデッドボルトに強度の側圧力がかかったとしても、ケース身のデッド窓を形成する縁部が容易に裂けない（縁部が強靭な）戸の錠箱の構造が記載されている。
【０００６】
上記のように、従来、デッドボルトに対する扉や扉枠の側圧を軽減化する構造が色々と試みられているが、特に電気錠に於いて、デッドボルトに対する扉や扉枠の側圧を軽減化する新規な構成が要望されている。
【特許文献１】特開２００６−３７３５５号公報
【特許文献２】特開２００５−３１５００２号公報
【特許文献３】特開２００３−２４７３６３号公報
【特許文献４】特開２００３−２４７３６２号公報
【発明の開示】
【発明が解決しようとする課題】
【０００７】
本発明の所期の目的は、デッドボルトに対する扉や扉枠の側圧を軽減化することである。望ましくはデッドボルトにかかる側圧を側圧受け片に分散させる。第２の目的は、開扉時に側圧受け片が錠箱から突出して邪魔にならないことである。その他の目的は、デッドボルトが後退中、開扉に起因する側圧がデッドボルトにかからないようにすること、側圧対策部材を錠箱内に簡単に組み込むことができることなどである。
【課題を解決するための手段】
【０００８】
本発明の電気錠は、錠箱に、少なくとも駆動源、動力伝達手段、ダルマ、デッドボルトを備えた電気錠に於いて、前記デッドボルトの内端部に突出入力片を固定的に設け、一方、錠箱には側圧受け片を設け、該側圧受け片は、施錠時には前記デッドボルトがフロントから突出する際に前記突出入力片に押し出されて前進する可動箱を介して受け金具に係合する反面、解錠時にはデッドボルトが錠箱内に後退すると、付勢手段のバネ力により該可動箱が所定の位置まで後退して錠箱内に引っ込むことを特徴とする。
【発明の効果】
【０００９】
（１）錠箱やデッドボルトに側圧対策を直接講じなくても、デッドボルトと別体の側圧受け片に側圧対策を講じることにより、閉扉時、デッドボルトに対する扉や扉枠の側圧を軽減化ことができる。そして、望ましくはデッドボルトに極力側圧がかからないようにすることができる。
（２）開扉時に側圧受け片が錠箱から突出して邪魔にならない。
（３）実施例によっては、閉扉時のみならず、デッドボルトが後退中にも、開扉に起因する側圧がデッドボルトに極力かからないようにすることもできる。
（４）側圧対策用部材（側圧受け片と作動部材を内装する可動箱）をユニット化することにより、錠箱内に簡単に組み込むこともできる。
【発明を実施するための最良の形態】
【００１０】
以下、図１乃至図１５に示す第１実施例により本発明を説明する。
【００１１】
（１）発明の実施の環境−主要部の作用も含む
図１は本発明の主要部を含む電気錠の概念図である。まず、図１及び図２を参照にして、電気錠の主な構成部材と作動態様の流れを簡単に説明する。電気錠Ｘは、錠箱１内に制御部２、駆動モータ３、クラッチ機構を含む動力伝達手段４、ダルマ５、デッドボルト６等が設けられている。なお、図２では、制御部２、駆動モータ３、クラッチ機構を含む動力伝達手段４等の具体的構成は、本発明の特定要件ではないので、割愛している。
【００１２】
周知のように、デッドボルト６は、駆動モータ３の駆動力により、錠箱１のフロント７を基準にして戸枠側の受け金具８へと前進する。施錠時、錠箱１のフロント７から突出したデッドボルト６は受け金具８に係合し、一方、扉Ｄを開く際の解錠時、デッドボルト６は錠箱１内へと後退し始め、完全解錠時には、デッドボルト６の先端面は、フロント７の外面に位置する。
【００１３】
ところで、デッドボルト６がフロント７から前進した施錠時、該デッドボルト６の側面６ａには「側圧」がかかる。付言すると、閉扉時にデッドボルト６に扉や扉枠の側圧がかかる。特に異常事態（例えば地震）の時に扉や扉枠の側圧等の負荷がデッドボルトにかかることは良く知られている。また、特に電気錠の場合には、デッドボルト６が後退中にも、開扉に起因する側圧がかかる場合がしばしばある。何故ならば、経験則上、デッドボルト６が後退中（完全解錠前）に扉Ｄを開けようとするせっかちな人もいるからである。
そこで、本実施例の電気錠Ｘは、施錠時のみならず、解錠途中にもデッドボルト６に前述した負荷がかからないように、側圧受け片１２と共に「作動片を内装した可動箱２１」を設けた。本実施例の可動箱２１は、デッドボルト６の突出入力片１１に押し出されて前進する。
【００１４】
すなわち、図１、図２で示すように、横長状の側圧受け片１２を捕捉する二段式可動箱２１をデッドボルト６の下方に併設的に配設し、可動箱２１は、施錠時、デッドボルト６に固定的に設けた突出入力片１１を介して押し出され、その結果、側圧受け片１２は、フロント７から突出して受け金具８に係合する。
【００１５】
具体的には、本実施例では、側圧受け片１２は、その先端部に側圧受けローラ１６を有する。また、側圧受け片１２の後端部は可動箱２１内に位置すると共に、該後端部には枠状案内片１８が支軸１７を介して設けられ、さらに、該枠状案内片１８内には上下方向に所定量移動する板状解除片１９が設けられていると共に、枠状案内片１８と可動箱２１の内壁面との間には側圧受け片１２用のバネ部材２０が介在している。
【００１６】
したがって、本実施例の側圧受け片１２は、後端部に解除片１９を保持する枠状案内片１８を備える１組のユニット部材である。また、側圧受け片１２は、可動箱２１内に配設された側圧受け片用のバネ部材２０で付勢され得る。
【００１７】
また、可動箱２１は、その下壁外面に係止突起（例えばラチェト歯）２２を有し、この係止突起２２には、錠箱１内の下部に配設され、かつ、バネ３６で係合方向に常に付勢された係止片３５が係脱可能である。
【００１８】
さらに、デッドボルト６の突出入力片１１は、その突出端部の後端部に押し出し用の第１係合部１４（実施例では弾性片１５も含む）を有し、一方、突出端部の先端部に可動箱２１に内装され、かつ、側圧受け片１２の後端部に設けた解除片１９に係合する第２係合部１３（実施例では第２係合片１３ａも含む）を備えている。
しかも、第２係合部１３を構成する前記第２係合片１３ａは、突出入力片１１に取付け用の横軸１３ｂを介して一体的に設けられ、かつ、可動箱２１の第１案内部分（図面上では上方の水平案内長孔）２３に案内されながら水平移動可能である。
【００１９】
加えて、可動箱の上部２１ａ内には、第２係合片１３ａの後端部と上部２１ａの後壁内面の間に可動箱用付勢手段３１が配設され、この付勢手段３１は、解錠時にデッドボルト６が錠箱１内へ後退する途中に収縮し、例えば本発明の一つの目的との関係で、デッドボルトが所定の位置まで後退すると、前記第２係合片１３ａが側圧受け片１２の解除片１９を所要量押し下げ、これにより、解除片１９は、錠箱１側に軸支された係止片３５を係止片用バネ３６のバネ力に抗して押し下げ、可動箱２１の係止突起２２と係合片３５との係止を解く。このように可動箱２１が錠箱側の係合片３５から解放されると、可動箱２１は内装の付勢手段３１のバネ力により所定の位置まで後退する。その結果、側圧受け片１２は錠箱１内に引っ込む。
【００２０】
このように、本実施例では、デッドボルトが後退中、開扉に起因する側圧がデッドボルトに極力かからないようにするために、側圧受け片１２を捕捉している可動箱２１の完全後退のタイミング時期（完全後退時点）を可能な限り遅らせ、望ましくはデッドボルト６の完全解錠時に、可動箱２１を完全に後退させ、それにより側圧受け片１２の先端部も錠箱１内に完全に引っ込むように構成する。以下、本発明の特定要件について順次説明するが、細部的な事項は図面及びその説明を割愛する。
【００２１】
（２）突出の入力片１１
図５は施錠時におけるデッドボルト６と側圧受け片１２の突出状態等を示す概略説明図である。なお、図５は施錠時の一例である。前述したように、施錠時、デッドボルト６は、該デッドボルト６の側壁６ａに一端部を固定した突出入力片１１を介して押し出される。
【００２２】
図６の（ａ）は入力片１１の正面図、（ｂ）は入力片１１の右側面図である。入力片１１は、その上端部１１ａは複数個の不番の固定具を介してデッドボルト６の側壁６ａの中央部に固定され、一方、中央部１１ｂの折り曲げ部分に連設する突出端部（下端部）１１ｃは、デッドボルト６の下面（側壁の一つ）から垂直状態に突出している。
しかして、前記突出端部１１ｃの幅広端部の左右部位（先端部と後端部）は、図６の（ａ）で示すように多少突出している。付言すると、突出端部１１ｃの先端部寄りの部位から後端部寄りの部位まで所要量切欠されている。ここでは、図６の（ａ）を基準にして、左側の符号１３を前入力部（第２係合部あるいは第２係合片）とし、一方、右側の符号１４を後入力部（第１係合部あるいは第１係合片）とする。
【００２３】
前入力部１３は、例えば垂直突片であるのに対し、後入力部１４は図６の（ｂ）で示すように内側に略９０度折り曲げ形成された水平突片となっている。すなわち、本実施例では、後入力部１４は可動箱２１を押し出すための押し出し用第１係合部であり、一方、前入力部１３は側圧受け片１２に設けた解除片１９に係合する第２係合片である。そのために、水平突片の押し出し用第１係合部１４には、断面矩形状の弾性片１５が嵌め込まれ、第１係合部１４は弾性片１５を介して可動箱２１の上部２１ａの後壁外面に当接可能である。
【００２４】
また、垂直突片の第２係合部１３は、ブロック状の第２係合片１３ａを含み、該第２係合片１３ａは可動箱２１の上部２１ａの第１案内部分（水平案内長孔）２３を貫通する横軸１３ｂを介して突出端部１１ｃに一体的に設けられ、かつ、可動箱２１の第１案内部分２３に案内されながら水平移動可能である。
【００２５】
ところで、前入力部１３の用語は、解錠時、デッドボルト６が「所定の後退条件」を満たしたときに、側圧受け片１２側の解除片１９よりも上側に位置する第２係合部１３（１３ａ）が、解除片１９に衝突して該解除片１９を押し下げ、これにより可動箱２１の下部２１ｂの下面の係止突起２２と錠箱側の係止片３５との係止状態を解くからである。
【００２６】
また、後入力部１４の用語は、施錠時、デッドボルト６が前進し始めると、前進途中、可動箱２１の下部２１ｂよりも上側に位置する第１係合部１４（弾性片１５も含む）が、可動箱２１の上部２１ａの後壁外面に衝突して可動箱２１を押し始め、その結果、側圧受け片１２がフロント７から突出するからである。
【００２７】
（３）側圧受け片１２
図７は側圧受け片１２、支軸１７、枠状案内片１８、解除片１９、側圧受け片用のバネ部材２０をそれぞれ示す。ここで、図５と図７を参照にして側圧受け片１２の具体的構成を説明する。本実施例の側圧受け片１２は、ケース状の支持枠部分１２ａを有する。この支持枠部分１２ａの先端部には、先端面から突出する一対の水平軸受け部分１２ｂが設けられ、一方、支持枠部分１２ａの後端部には、後端面から突出する一対の垂直軸受け部分１２ｃが設けられている。
【００２８】
しかして、前記水平軸受け部分１２ｂには、不番の縦軸を介して側圧受けローラ１６が枢着され、一方、前記垂直軸受け部分１２ｃには、支軸（横軸）１７を介して枠状案内片１８が支持されている。しかも、該枠状案内片１８の貫通状開口１８ａ内には、上下端部がそれぞれ食み出す板状解除片１９が係合手段（解除片１９の垂直長孔１９ａと案内片１８を貫通する支軸１７）を介して上下動可能に支持されている。そして、本実施例では、図５で示すように、案内片１８のバネ端支持部を有する後端部と可動箱２１の下方収納部の後壁内面との間には、伸縮可能な側圧受け片用のバネ部材２０が介在する。
【００２９】
ところで、前記側圧受けローラ１６の大きさ（半径）は、デッドボルト６のそれや受け金具８の位置ないし形状を考慮して任意に設定されている。望ましくは、扉側の側圧がデッドボルト６と側圧受けローラ１６の両方に分散するように設計する。また、閉扉時における側圧受け片用のバネ部材２０の伸縮量は、チリ寸法（受け金具８とフロント７との隙間）や受け金具８に内設したローラ用受板（図面省略）の位置や構造如何によって相違する。
【００３０】
（４）第２係合片１３ａ、可動箱用付勢手段３１
図８は、突出入力片１１の第２係合片１３ａ、横軸１３ｂ、可動箱２１の上部２１ａの後壁内面に圧接可能な可動箱用付勢手段３１を示す。前述したように、第２係合片１３ａは横軸１３ｂを介して突出入力片１１の突出端部に取付けられ、しかも、可動箱２１の上部２１ａに水平移動可能に内装されている。第２係合片１３ａの各部位の符号は割愛するが、ブロック状に形成された第２係合片１３ａは、四角い中心部に横軸１３ｂ用の取付け孔を有している。また後端部には付勢手段３１の先端部を受けるバネ端支持部が突出形成されている。さらに、四角い中心部の下面には板状解除片１９の上端係合部（例えば山形突起）と係合する下端係合部（例えば傾斜状突起）が形成されている。
【００３１】
可動箱用付勢手段３１は、本実施例ではコイルバネが採用され、可動箱２１の上部２１ａに横状態に内装された状態で可動箱２１の後壁内面に圧接可能である。例えば図１３で示すように、デッドボルト６の後退した場合に於いて、所定の条件を充足する瞬間（可動箱が係止片から解放されるとき）に付勢手段３１は最も縮んでいる。
【００３２】
（５）第２係合片１３ａと解除片１９と係止片３５と可動箱の係止突起
図９は、第２係合片１３ａと解除片１９と係止片３５と可動箱２１の係止突起２２がどのような関係にあるかを概略的に示している。すなわち、矢印Ａ方向へ水平移動する第２係合片１３ａの下端係合部（例えば傾斜状突起）が、移動中に側圧受け片１２側の解除片１９の上端係合部（例えば山形突起）を押し付けると、解除片１９は枠状案内片１８の内壁面に案内されながら下降し、バネ３６で付勢されている係止片３５を矢印Ｂ方向へと回転させる。前述したように、係止片３５の先端部の係合部分３５ｂが可動箱２１の係止突起２２から離れると、可動箱２１は可動箱用付勢手段３１のバネ力により、所定位置まで後退する。
【００３３】
また、図１０は錠箱１内に軸支された係止片３５の一例を示す。本実施例の係止片３５は基端部に軸孔３５ａを有し、一方、先端部に可動箱２１の下面に形成した二列の係止突起（例えばラチェット歯）２２に係脱する２個の係合部分（例えば切欠端面）３５ｂを有している。
【００３４】
（６）可動箱２１
図１１は、説明の便宜上、可動箱２１を縦にニ分割して示した斜視図である。可動箱２１は、上部２１ａと下部２１ｂとから成る。本実施例では、下部２１ｂの方が上部２１ａよりも大きい。しかして、下部２１ｂの下面には、二列の係止突起（例えばラチェット歯）２２が設けられている。また、上部２１ａには第２係合片１３ａの横軸１３ｂを案内する第１案内部分（水平長孔、水平溝など）２３が形成されている。一方、下部２１ｂには側圧受け片１２側の支軸１７を案内する第２案内部分（水平長孔、水平溝など）２４が形成されている。
【００３５】
したがって、上部２１ａ内に組み込まれた突出入力片１１の第２係合片１３ａは、同じく上部２１ａ内に組み込まれた可動箱用付勢手段３１のバネ力に抗して後退動可能である。また、下部２１ｂ内に側圧受け片１２を介して枠状案内片１８と一緒に組み込まれた解除片１９は、側圧受け片１２の後端部が可動箱２１の下部２１ｂ内にスライド可能に設けられていることから、可動箱２１に対して相対的に位置変位可能である。
【００３６】
また、可動箱２１の内部には、上部２１ａと下部２１ｂの一部を仕切る水平隔壁２５が設けられている。付言すると、上部２１ａと下部２１ｂは水平隔壁２５のない連通部分２６がある。
【００３７】
また、上部２１ａの前壁には側圧受け片１２用の開口２７が形成され、さらに、可動箱２１の外面には錠箱１の幅広側壁に形成された水平案内部分（水平長孔、水平溝など）に係合する複数個の係合突起２８が設けられている。
【実施例】
【００３８】
発明の実施の形態で示した実施例に於いて、可動箱用付勢手段３１は、可動箱２１の上部２１ａ内に第２係合片１３ａの後端部と後壁内面にそれぞれ圧接可能に配設されているが、付勢手段３１の配設箇所は特定要件ではない。例えば可動箱２１の上部２１ａ或いは下部２１ｂの後壁外面と錠箱１の後壁内面に引っ張りばねを連結する、可動箱２１の上部２１ａ或いは下部２１ｂの前壁外面とフロント（取付け前板）との間に付勢バネを配設するなど任意に設計変更可能である。また、チリ寸法、受け金具の構造等に配慮しない場合には、側圧受け片１２用のバネ部材２０も発明の特定要件ではなく、側圧受け片１２を可動箱２１の下部２１ｂに一体的に固定しても良い。
【産業上の利用可能性】
【００３９】
本発明は、本発明は、主に錠前や建具の業界で利用される。
【図面の簡単な説明】
【００４０】
図１乃至図１５は本発明の最良の実施例を示す各説明図。
【図１】本発明の環境を示す概念図。
【図２】施錠時における説明図。
【図３】フロント側から見た説明図。
【図４】施錠時における可動箱の前進位置等を示す概略断面図。
【図５】施錠時におけるデッドボルトと側圧受け片の突出状態を示す概略説明図。
【図６】図６の（ａ）は入力片等の正面図、（ｂ）は入力片等の右側面図。
【図７】側圧受け片、支軸、枠状案内片、解除片等の概略説明図。
【図８】第２係合片、横軸、可動箱用付勢手段等の概略説明図。
【図９】第２係合片１３と解除片と係止片と可動箱の係止突起の関係を示す概略説明図。
【図１０】係止片の概略説明図。
【図１１】説明の便宜上可動箱を縦にニ分割して示した斜視図。
【図１２】デッドボルトが後退中の説明図。
【図１３】デッドボルトが後退中、可動箱用付勢手段が収縮し、かつ、解除片が作用した時の概略説明図。
【図１４】完全解錠時の概略断面図。
【図１５】完全解錠時における可動箱の後退位置等を示す概略断面図。
【符号の説明】
【００４１】
Ｘ…電気錠、１…錠箱、６…デッドボルト、７…フロント、８…受け金具、１１…突出入力片、１１ｃ…突出端部、１２…側圧受け片、１２ａ…支持枠部分、１３…前入力部（第２係合部）、１３ａ…第２係合片、１３ｂ…横軸、１４…後入力部（第１係合部）、１５…弾性片（第１係合部）、１６…側圧受けローラ、１７…支軸（横軸）、１８…枠状案内片、１９…解除片、２０…側圧受け片用バネ部材、２１…可動箱、２１ａ…可動箱の上部、２１ｂ…可動箱の下部、２２…係止突起（例えばラチェト歯）、２３…第１案内部分、２４…第２案内部分、２５…隔壁、２７…開口、３１…可動箱用付勢手段、３５…係止片、３５ｂ…係合部分、３６…バネ。
【図１】
2008075364.tif 000003
【図２】
2008075364.tif 000004
【図３】
2008075364.tif 000005
【図４】
2008075364.tif 000006
【図５】
2008075364.tif 000007
【図６】
2008075364.tif 000008
【図７】
2008075364.tif 000009
【図８】
2008075364.tif 000010
【図９】
2008075364.tif 000011
【図１０】
2008075364.tif 000012
【図１１】
2008075364.tif 000013
【図１２】
2008075364.tif 000014
【図１３】
2008075364.tif 000015
【図１４】
2008075364.tif 000016
【図１５】
2008075364.tif 000017